(57)【要約】【課題】人物史特に自分史作成に必要な情報を簡単に収集できるようにする。【解決手段】  アプリを管理する処理装置Ｓと、この処理装置とインターネットＩを介して接続される撮影手段Ｃ１〜Ｃｎとを備えている。そして、複数の撮影手段Ｃ１〜Ｃｎは、インターネットＩを介してお互いに交信可能にし、それら撮影手段Ｃ１〜Ｃｎの間で、撮影を依頼したり、撮影させてもらったりできるようにしている。このようにして撮影された画像情報や音声情報は、処理装置Ｓに記憶される。ただし、撮影を依頼したり、依頼されたりしたとしても、撮影者側手段には保存されない。【選択図】  図２
2017204185.tif 000002
【特許請求の範囲】
【請求項１】
インターネットに接続されるとともに、当該アプリケーションソフトウェア―を管理する処理装置と、
インターネットを介して上記処理装置に接続されるとともに、上記処理装置にＩＤが登録された複数の撮影手段と、
上記処理装置に備えられるとともに、上記ＩＤに対応づけられたホルダーと、
を備え、
上記撮影手段は、互いに撮影側の手段として機能したり、被写体側の手段として機能したりする一方、
あらかじめ登録されたＩＤの照合を条件に、撮影の依頼もしくは撮影の許可を求める要求信号を送受信する要求信号送受信部と、
上記撮影依頼信号もしくは撮影許可信号に対して諾否を示す諾否信号が出力される諾否信号送受信部と、
撮影された画像や録音された音声等の情報を、被写体側のＩＤに対応づけられたホルダーに保存させるための記録情報送信部と、
を備え、
各撮影手段は、上記諾否信号送受信部が撮影を許諾する許諾信号を受信したときに撮影機能が実行可能になり、その撮影機能が実行されて取得された情報が、当該撮影手段を介して上記処理装置のホルダーに保存される人物史作成システム。
【請求項２】
上記撮影手段には、交信撮影機能と単独撮影機能とに切り替える切替え操作部を備えた請求項１に記載された人物史作成システム。
【請求項３】
上記撮影機能が実行されて取得された情報には、撮影した人、日時、場所などの撮影状況に関する情報や、出来事の種類等などを上記処理装置に記録可能にした請求項１又は２に記載された人物史作成システム。
【請求項４】
上記撮影手段は、インターネット接続機能を備えたモバイルである請求項１〜３のいずれか１に記載された人物史作成システム。
【請求項５】
上記撮影手段のうち、撮影側となる撮影手段が、一定の場所に固定的に設置された請求項１〜４のいずれかに１に記載された人物史作成システム。
【発明の詳細な説明】
【技術分野】
【０００１】
この発明は、人物史特に自分史作成に必要な情報を簡単に収集できる人物史作成システムである。
【背景技術】
【０００２】
人物史の作成に関して、特開２０１２−０３７９６６号公報に記載された編集方法が従来から知られている。
この従来のものは、先ず、自分史を求める本人あるいはその遺族等が、本人に関する過去の写真や音声、動画などの膨大な資料を収集整理し、それを編集するようにしていた。
【先行技術文献】
【特許文献】
【０００３】
【特許文献１】特開２０１２−０３７９６６号公報
【発明の概要】
【発明が解決しようとする課題】
【０００４】
上記のようにした従来の編集方法では、人物史を編集したいと思った時点から、過去にさかのぼって資料収集をしなければならない。そのために、人物史の中で重要な資料が抜け落ちていることが多くなる。
例えば、歴史という位置づけの中で、将来、重要な資料になりうるかどうかは、現時点ではほとんど判断できない。そのために、振り返ってみれば、人生の中で重要な出来事と思われるような資料が抜け落ちてしまうことが多くなる。
【０００５】
言い換えれば、現時点の状況が、将来、人生の中でどのような意味を持つかは、ほとんど分からないのが通常である。
特に、人生のターニングポイントになる出来事などは、その時点ではほとんど分からず、かなりの時間を経過した後に、ターニングポイントであったことに気づくということがほとんどである。
【０００６】
また、重要な情報が存在したとしても、カメラやＳＤカード、パソコン等の別々な媒体にあるとすれば、それを探し出すことが難しくなるし、別々な媒体に保存しておけば、それらを別々に管理せざるをえないが、それがデータの行方不明の要因になったりする。
【０００７】
このようなことから、従来の編集方法では、人物史の編纂を思い立ったときに、重要な資料が抜け落ちてしまうという問題があった。
また、年齢的にかなり早い段階から、資料を収集し続けたとしても、時を経るにしたがって、その収集量が減っていくのは、誰もが体験するところである。
したがって、年齢的に早い時期に、人物史の編集を思い立った場合にも、必要な資料を継続的に収集し続けることが難しくなるという問題があった。
【０００８】
この発明の目的は、人物史を作成するのに必要な写真や動画、音声等々を、他人の協力を得ながら収集できる人物史作成システムを提供することである。
【課題を解決するための手段】
【０００９】
第１の発明は、複数の撮影手段が、インターネットを介して処理装置に接続されているとともに、この処理装置にはアプリケーションソフトウェア（以下「アプリ」という）が記憶されている。
そして、少なくとも一対の撮影手段の間で、お互いのＩＤが照合されたとき、処理装置は、この処理装置に記憶されているアプリを利用可能にする。
【００１０】
上記アプリが利用可能になったら、ＩＤを交換した者の間で、被写体側である者が相手に撮影してもらったり、撮影側となる者が相手を撮影したりする２通りが可能になる。
上記ＩＤが交換されてアプリが利用可能になれば、少なくとも一対の撮影手段、すなわち撮影側になる手段と、被写体側になる手段との間で交信が可能になる。
【００１１】
ただし、撮影手段を所有する者が、インターネットとの交信機能を停止させていれば、他の撮影手段に対して、それらとの交信を事前に拒否する意思表示になる。
いずれにしても一対の撮影手段が交信可能になったら、一方の撮影手段の要求信号送受信部から、自分や特定の人物を撮影して欲しいという撮影依頼の要求信号あるいは貴方を撮影させて欲しいという撮影許可の要求信号を出力する。
【００１２】
これに対して、相手側の撮影手段は、諾否信号送受信部が上記要求信号を受信するとともに、この要求信号に対する諾否信号をこの諾否信号送受信部から相手側に発信する。
【００１３】
このとき、許諾信号が出力されれば、撮影手段の撮影機能が実行可能になるが、拒否信号が出力されれば、撮影手段の撮影機能が実行不能になる。
上記のようなプロセスを経て撮影された画像や音声情報は、当該撮影手段を介して上記処理装置のホルダーに保存される。
【００１４】
第２の発明は、上記撮影手段が、交信撮影機能と単独撮影機能とを切り替える切替え操作部を備えた点に特徴を有する。
なお、交信撮影機能とは、相手側に撮影を依頼したり、撮影の許可をもらったりする撮影機能である。また、単独撮影機能とは、自らの撮影手段で被写体を自由に撮影できる撮影機能である。
【００１５】
第３の発明は、上記撮影機能が実行されて取得された情報には、日時や場所等の撮影状況が自動的に付記される点に特徴を有する。
【００１６】
第４の発明は、上記撮影手段が、撮影機能を備えたモバイルである点に特徴を有する。
【００１７】
第５の発明は、上記撮影手段のうち、撮影側となる撮影手段が、一定の場所に固定的に設置された点に特徴を有する。
【発明の効果】
【００１８】
第１の発明の人物史作成システムによれば、人物史を作成したい者は、いつどこでも被写体になれる。したがって、ＩＤを交換できる相手がいる限り、人生の中で、例えばターニングポイントになるような重要な事実であって、現時点ではその重要性を判断できないようなときにも、その事実を画像や音声情報としてホルダーに残しておける。
そして、人物史を必要とする時点で、それらの記録を紐といていけば、必然的に人物史が編集される。
【００１９】
また、撮影能力がない胎児や乳児、あるいは幼児の場合であっても、親等が代行して画像や音声情報を収集することもできる。そのようにして収集した音声や画像情報を、撮影能力を備えた時点で引き継ぐようにすれば、それら画像や音声情報の収集を、ほぼ永久的に継続させることができる。
【００２０】
このようにして撮影された画像情報や音声情報は、撮影者のいかんにかかわらず、処理装置のホルダーに一括して保存されるので、その管理が楽になるとともに、その管理システムが半永久的に存続させられるので、上記画像情報や音声情報が紛失したり行方不明になったりしない。
【００２１】
第２の発明の人物史作成システムによれば、自分以外の相手に撮影を依頼したり、撮影の許可をもらったりする交信撮影機能と、相手とは関係なく、自らの撮影手段で自由に撮影を実行できる単独撮影機能とを自由に選択できる。
したがって、例えば、撮影手段に単純なカメラ機能を発揮させ、そこで撮影した画像や音声情報を処理装置のホルダーに保存させることもできる。
【００２２】
第３の発明の人物史作成システムによれば、撮影機能が実行されて取得された情報には、撮影した人、日時、場所などの撮影状況に関する情報や、出来事の種類等などが処理装置に記憶させられるので、人物史作成に役立つ。
【００２３】
第４の発明の人物史作成システムによれば、上記撮影手段が撮影機能を備えたモバイルなので、例えば市販のスマートホンなどを利用できる。
【００２４】
第５の発明の人物史作成システムによれば、撮影手段を、例えば公共の場の所定の建造物に固定的に設置できる。したがって、ＩＤを交換する人がいなくても、記念すべき場所で自由に撮影ができることになる。
【図面の簡単な説明】
【００２５】
【図１】図１は人物史作成システムの全体図である。
【図２】図２は撮影手段の要素を示す図である。
【発明を実施するための形態】
【００２６】
図示の実施形態は、インターネットＩに、処理装置Ｓ及び複数の撮影手段Ｃ１〜Ｃｎが接続されている。
上記処理装置Ｓには、当該システムのアプリが記憶されるとともに、各撮影手段Ｃ１〜Ｃｎに対応づけられたホルダーＨ１〜Ｈｎが設けられている。
また、撮影手段Ｃ１〜Ｃｎのそれぞれは、図２に示すように、インターネットＩに接続されている。
【００２７】
さらに、撮影手段Ｃ１〜Ｃｎには、ＩＤ信号送受信部２、要求信号送受信部３、諾否信号送受信部４及び記録情報送信部５が備えられている。さらに、交信撮影機能と単独撮影機能とに切替えるための切替え操作部６を備えている。
【００２８】
以下、被写体側となる者が所持する撮影手段Ｃ１と，撮影側となる者が所持する撮影手段Ｃ２を活用して、自分史を作成する場合について説明する。
先ず、上記一対の撮影手段Ｃ１と撮影手段Ｃ２とは、それらのＩＤがあらかじめ処理装置Ｓに登録されていることを前提にする。つまり、この発明のシステムは、撮影手段Ｃ１〜Ｃｎを所持する者は、ＩＤの登録という形態で処理装置Ｓにあらかじめ登録されている。実際には、会員制を採用して、会員登録の条件として処理装置ＳにＩＤを登録するようにしている。
【００２９】
そして、他人に対して、自分を撮影して欲しいと思っている本人が所持する撮影手段を本人側手段Ｃ１という名称を用い、本人から撮影を依頼される者が所持する撮影手段を撮影者側手段Ｃ２という名称を用いる。したがって、本人側手段Ｃ１も撮影者側手段Ｃ２のいずれも、この発明の撮影手段であることに変わりはない。
上記本人側手段Ｃ１及び撮影者側手段Ｃ２の各要素には、例えばＩＤ信号送受信部２（Ｃ１）のように、符号の後ろに（Ｃ１）あるいは（Ｃ２）の記号を付して、本人側手段Ｃ１の要素であるか、撮影者側手段Ｃ２の要素であるかを区別する。
【００３０】
先ず、本人側手段Ｃ１を所持する本人は、切替え操作部６（Ｃ１）を操作して、本人側手段Ｃ１の交信撮影機能を実行可能にしておく。
そして、ＩＤ信号送受信部２（Ｃ１）から、Ｗｉ‐Ｆｉあるいは赤外線等を介して、自らのＩＤを、撮影者側手段Ｃ２に発信する。このとき、撮影者側手段Ｃ２の切替え操作部６（Ｃ２）によって撮影者側手段Ｃ２の交信撮影機能が実行不能の状態にセットされていれば、お互いのＩＤを照合できない。したがって、この状態では、撮影者側手段Ｃ２において撮影拒否ということになって、アプリは実行されない。
【００３１】
撮影者側手段Ｃ２の交信撮影機能が実行可能になっていれば、撮影者側手段Ｃ２は、ＩＤ信号送受信部２（Ｃ２）で、上記本人側手段Ｃ１から発信されたＩＤを受信し、お互いのＩＤが特定される。
上記のように特定されたＩＤ信号は処理装置Ｓに送信されるとともに、処理装置Ｓは、上記ＩＤがあらかじめ登録されたものであるかどうかを判定し、それらが登録されていると判定したとき、両撮影手段Ｃ１，Ｃ２に対して、当該システムのアプリを利用可能にする。
【００３２】
アプリが利用可能になった段階で、本人は要求信号送信部３（Ｃ１）から、自分を撮影して欲しいという要求信号を、撮影者側手段Ｃ２の要求信号送信部３（Ｃ２）に送信する。
本人側手段Ｃ１からの要求信号を受信した撮影者側手段Ｃ２は、その要求を受け入れるかどうかの諾否信号を諾否信号送受信部４（Ｃ２）から出力する。
【００３３】
諾否信号送受信部４（Ｃ２）から出力された信号が、撮影を拒否する拒否信号の場合には、そこでアプリの実行が中止される。
諾否信号送受信部４（Ｃ２）から出力された信号が、撮影を許可する許諾信号の場合には、撮影者側手段Ｃ２で本人を被写体とする撮影機能の実行が可能になる。
【００３４】
上記のようにして撮影者側手段Ｃ２で撮影された画像情報や音声情報は、撮影した人、日時、場所などの撮影状況に関する情報や、出来事の種類等などが付記された状態で上記処理装置Ｓに記憶される。
なお、このときには、上記画像情報や音声情報は、撮影者側手段Ｃ２を介して、記録情報送信部５（Ｃ２）から処理装置Ｓに送信され、ホルダーＨ１に保存される。
【００３５】
そして、処理装置Ｓのホルダーに保存された画像情報や音声情報は、本人がいわゆるＳＮＳにアップしたければ、自由にできることは当然である。
また、撮影者が上記画像情報や音声情報を自らの撮影者側手段Ｃ２にダウンロードさせたいときには、本人側手段Ｃ１にその許諾を求めなければならない。この場合には、要求信号送受信部３（Ｃ２）から相手側である本人側の要求信号送受信部３（Ｃ１）に諾否を求める信号を出力するとともに、本人側からは同じく要求信号送受信部３（Ｃ１）を介して諾否を伝える。
そして、本人側の許諾信号を受信した撮影者側手段Ｃ２には、所定の画像情報や音声情報をダウンロードすることができる。
【００３６】
上記の場合は、被写体となる本人が、本人とは関係ない他人に対して、自らを撮影して欲しいと要求した場合であるが、他人が本人を見て、本人を撮影したいと思ったときには、次のようにする。
なお、この場合にも、他人が所持する撮影手段を撮影者側手段Ｃ２とし、本人が所持する撮影手段を本人側手段Ｃ１とするとともに、これら本人側手段Ｃ１及び撮影者側手段Ｃ２の各要素には、例えばＩＤ信号送受信部２（Ｃ１）のように、符号の後ろに（Ｃ１）あるいは（Ｃ２）の記号を付して、本人側手段Ｃ１の要素であるか、撮影者側手段Ｃ２の要素であるかを区別する。
そして、上記本人側手段Ｃ１と撮影者側手段Ｃ２のいずれも、この発明の撮影手段であることに変わりはない。
【００３７】
次に、他人が、被写体となる本人を見て撮影したいと思った場合について説明する。
撮影者側手段Ｃ２を所持する他人は、ＩＤ信号送受信部２（Ｃ２）から、Ｗｉ‐Ｆｉあるいは赤外線等を介して、自らのＩＤを、本人側手段Ｃ１に発信する。本人側手段Ｃ１は、ＩＤ信号送受信部２（Ｃ１）で、上記撮影者側手段Ｃ２から発信されたＩＤを受信し、お互いのＩＤを特定する。
【００３８】
お互いのＩＤが特定されたら、それらＩＤが処理装置Ｓに送信されるとともに、処理装置Ｓは、それらＩＤがあらかじめ登録されているかどうかを判定し、それらが登録されていると判定したとき、両撮影手段Ｃ１，Ｃ２に、当該システムのアプリを利用可能にする。
【００３９】
この段階で、他人は要求信号送信部３（Ｃ２）から、本人に対して貴方を撮影させて欲しいという要求信号を、本人側手段Ｃ１の要求信号送信部３（Ｃ１）に送信する。
撮影者側手段Ｃ２からの要求信号を受信した本人側手段Ｃ１は、その要求を受け入れるかどうかの諾否信号を諾否信号送受信部４（Ｃ１）から出力する。
【００４０】
諾否信号送受信部４（Ｃ１）から出力された信号が、撮影を拒否する拒否信号の場合には、そこでアプリの実行が中止される。
諾否信号送受信部４（Ｃ１）から出力された信号が、撮影を許可する許諾信号の場合には、撮影者側手段Ｃ２で本人を被写体とする撮影機能の実行が可能になる。
上記のようにして撮影者側手段Ｃ２で撮影された画像情報や音声情報は、記録情報送信部５（Ｃ２）から処理装置Ｓに送信されて、ホルダーＨ１に保存される。
その他は、本人から他人に撮影を依頼した場合と同じなので、詳細な説明は省略する。
【００４１】
一方、上記撮影者側手段Ｃ２は、例えば公共施設や建造物、観光地などにおいて、一定の場所に固定的に設置されていてもよい。この場合には、撮影者側手段Ｃ２は常に交信撮影機能が実行可能にセットされていることは当然である。
【００４２】
そして、本人側手段Ｃ１の要求信号送信部３（Ｃ１）からの要求で撮影者側手段Ｃ２に撮影を依頼する要求信号を要求信号送受信部３（Ｃ２）に出力する。
撮影者側手段Ｃ２が上記信号を受信すれば、その撮影機能の実行が可能になる。このようにして、撮影された画像情報や音声情報は、記録情報送信部５（Ｃ２）から処理装置Ｓに送信されて、ホルダーＨ１に保存される。
【００４３】
また、上記切替え操作部６を操作して、撮影手段Ｃ１〜Ｃｎの単独撮影機能を実行可能にしておけば、当該撮影手段Ｃ１〜Ｃｎは、通常のカメラとして機能する。
ただし、単独撮影機能を実行して、撮影された画像情報や音声情報は、撮影した人、日時、場所などの撮影状況に関する情報や、出来事の分類などとともに、処理装置Ｓに送信されてホルダーＨ１に保存される。
なお、上記撮影状況に関する情報や、出来事の分類等は、撮影手段Ｃ１，Ｃ２に内蔵したコンピュータ機能を利用して、処理装置Ｓに自由に記憶させることができる。
【００４４】
上記のようにこの発明の実施形態によれば、他人に撮影を依頼して自分を撮影したり、他人からの要求に応じて自らが被写体になったりして、自分の画像情報や音声情報を取得できる。
また、撮影者側手段Ｃ２が、例えば公共施設や建造物、観光地などの一定の場所に固定的に設置されていれば、人に頼まなくても、自分の画像情報や音声情報を取得できる。
【００４５】
なお、上記のようにして取得して処理装置Ｓに記憶されたデータは、撮影手段Ｃ１〜Ｃｎに設けたコンピュータ機能を利用して、撮影状況を特定して取り出したり、分類別に取り出したりできるようにしている。
また、乳児や幼児、児童のように自ら撮影手段Ｃ１〜Ｃｎの操作能力がない者の場合には、親等が本人を撮影したりその撮影を他人に依頼したりして、処理装置Ｓに記憶させておき、本人に撮影手段Ｃ１〜Ｃｎの操作能力が付いたときに、処理装置Ｓに記憶されたデータを本人に引き継ぐことができる。
【００４６】
上記のようにして作成された人物史は、それこそ揺籃から墓場までのすべてをカバーすることができる。
ただし、親等が取得したデータを本人が承継するときには、本人確認等の特別な手続があってもよい。
なお、上記撮影手段Ｃ１〜Ｃｎは、撮影用の専用機である必要はなく、例えば、スマートホンなどのインターネット接続機能を備えたモバイルを利用することができる。
【産業上の利用可能性】
【００４７】
人物史特に自分史を作成するのに最適である。
【符号の説明】
【００４８】
Ｉ  インターネット、Ｓ  処理装置、Ｃ１〜Ｃｎ  撮影手段、３  要求信号送受信部、４  諾否信号送受信部、５  記録情報送受信部、６  切替え操作部
【図１】
2017204185.tif 000003
【図２】
2017204185.tif 000004